(57)【要約】【課題】ユーザが理想とする創作ワインを生成することができるワイン生成システムを提供する。【解決手段】ユーザが複数の銘柄の原料ワインに基づいて創作ワインを生成することを可能とするワイン生成システム１であって、原料ワインに関する情報を格納する記憶部１１を有するとともに、記憶部１１に格納された原料ワインのうち複数の銘柄を選択可能に表示する原料表示部１２を有する、通信ネットワークＮに接続されたサーバ１０と、通信ネットワークＮに接続されたユーザ用端末２０と、ユーザ用端末２０が通信ネットワークＮを介してサーバ１０に接続され、原料表示部１２によって表示された原料ワインのうち特定の銘柄がユーザによって選択された場合に、選択された銘柄に基づいて創作ワインを生成するワイン生成部３０と、を備える。【選択図】図１
2019040507.tif 000002
【特許請求の範囲】
【請求項１】
ユーザが複数の銘柄の原料ワインに基づいて創作ワインを生成することを可能とするワイン生成システムであって、
前記原料ワインに関する情報を格納する記憶部を有するとともに、前記記憶部に格納された前記原料ワインのうち複数の銘柄を選択可能に表示する原料表示部を有する、前記通信ネットワークに接続されたサーバと、
前記通信ネットワークに接続されたユーザ用端末と、
前記ユーザ用端末が前記通信ネットワークを介して前記サーバに接続され、前記原料表示部によって表示された前記原料ワインのうち特定の銘柄が前記ユーザによって選択された場合に、選択された銘柄に基づいて創作ワインを生成するワイン生成部と、
を備える、ワイン生成システム。
【請求項２】
前記ワイン生成部は、前記ユーザ用端末が前記通信ネットワークを介して前記サーバに接続され、前記原料表示部によって表示された前記原料ワインのうち特定の銘柄が前記ユーザによって選択された場合に、選択された銘柄をブレンドして実際に創作ワインを製造する、請求項１に記載のワイン生成システム。
【請求項３】
前記ワイン生成部は、前記ユーザ用端末が前記通信ネットワークを介して前記サーバに接続され、前記原料表示部によって表示された前記原料ワインのうち特定の銘柄が前記ユーザによって選択された場合に、選択された銘柄に基づいて仮想の創作ワインを生成する、請求項１に記載のワイン生成システム。
【請求項４】
ユーザが複数の銘柄の原料ワインに基づいて生成した創作ワインに関する情報を、通信ネットワークを介して他のユーザに提供するワイン情報提供システムであって、
前記原料ワインに関する情報を格納する記憶部を有するとともに、前記記憶部に格納された前記原料ワインのうち複数の銘柄を選択可能に表示する原料表示部を有する、前記通信ネットワークに接続されたサーバと、
前記通信ネットワークに接続されたユーザ用端末と、
前記ユーザ用端末が前記通信ネットワークを介して前記サーバに接続され、前記原料表示部によって表示された前記原料ワインのうち特定の銘柄が前記ユーザによって選択された場合に、選択された銘柄に基づいて創作ワインを生成するワイン生成部と、
を備え、
前記サーバは、前記創作ワインに関する情報を前記通信ネットワークを介して前記他のユーザに提供する情報提供部を有する、ワイン情報提供システム。
【請求項５】
前記サーバは、前記創作ワインに関する紹介コメントを前記通信ネットワークを介して取得する紹介取得部を有する、請求項４に記載のワイン情報提供システム。
【請求項６】
前記情報提供部は、前記紹介取得部で取得した前記ユーザ本人からの前記紹介コメントを前記創作ワインに関する情報として提供する、請求項５に記載のワイン情報提供システム。
【請求項７】
前記情報提供部は、前記紹介取得部で取得した前記他のユーザからの前記紹介コメントを前記創作ワインに関する情報として提供する、請求項５に記載のワイン情報提供システム。
【請求項８】
前記サーバは、前記創作ワインを前記通信ネットワークを介して販売するための販売処理部と、前記創作ワインを購入した前記他のユーザからの評価コメントを前記通信ネットワークを介して取得する評価取得部と、を有する、請求項４から７の何れか一項に記載のワイン情報提供システム。
【請求項９】
前記情報提供部は、前記評価取得部で取得した前記評価コメントを前記創作ワインに関する情報として提供する、請求項８に記載のワイン情報提供システム。
【請求項１０】
前記サーバは、前記ユーザの購入履歴に基づいて、前記原料表示部で表示する原料ワインの銘柄及びその割合を決定する銘柄決定部を有する、請求項４から９の何れか一項に記載のワイン情報提供システム。
【請求項１１】
前記ワイン生成部は、前記ユーザ用端末が前記通信ネットワークを介して前記サーバに接続され、前記原料表示部によって表示された前記原料ワインのうち特定の銘柄が前記ユーザによって選択された場合に、選択された銘柄をブレンドして実際に創作ワインを製造する、請求項４から１０の何れか一項に記載のワイン情報提供システム。
【請求項１２】
前記ワイン生成部は、前記ユーザ用端末が前記通信ネットワークを介して前記サーバに接続され、前記原料表示部によって表示された前記原料ワインのうち特定の銘柄が前記ユーザによって選択された場合に、選択された銘柄に基づいて仮想の創作ワインを生成する、請求項４から１０の何れか一項に記載のワイン情報提供システム。
【発明の詳細な説明】
【技術分野】
【０００１】
本発明は、ワイン生成システム及びワイン情報提供システムに関する。
【背景技術】
【０００２】
現在、インターネット等の通信ネットワークを介してワインの選択や購入を支援するシステムが種々提案されている。例えば、多様なワイン情報（ワイン生産者から提供されたワイン名称、生産地名、生産年等のワイン生産者情報や、各ワインに適合する料理に関する情報等）を、通信ネットワークを介してユーザに提供することにより、膨大な種類のワインの中から希望のワインをユーザが容易に選択できるようにしたシステムが提案されている（例えば、特許文献１参照）。
【０００３】
また、通信ネットワークを利用して、在庫量の豊富なピッキングセンターからの配送を可能とすることにより、各最終販売店がその在庫量の上限を超えた種類のワインをユーザに提供できるようにしたシステム（例えば、特許文献２参照）が提案されている。特許文献１及び２に記載されたようなシステムを採用すると、多様なワイン情報に基づいて希望のワインを選択して購入することができる、とされている。
【先行技術文献】
【特許文献】
【０００４】
【特許文献１】特開２００３−３３１１８６号公報
【特許文献１】特開２００２−９２５０６号公報
【発明の概要】
【発明が解決しようとする課題】
【０００５】
しかし、ワインを選択する作業は、ワインのヘビーユーザやマニアにとっても煩雑であることが多く、ワインのミドルユーザやライトユーザは、誰かに薦められたワインを選択することが多い。このため、特許文献１及び２に記載された従来のシステムは、ワインの選択を希望しないユーザにとっては役に立たないものであった。また、一部のヘビーユーザやマニアは、自身が理想とするワインを創作し、その創作したワインを市場で販売して他のユーザの評価を得たいと考えているが、前記した従来のシステムはそもそもユーザ自身がワインを創作することを想定していないため、そのようなヘビーユーザやマニアの願いを実現させることができなかった。
【０００６】
本発明は、かかる事情に鑑みてなされたものであり、ユーザが理想とする創作ワインを生成することができるワイン生成システムを提供するとともに、ユーザが創作したワインに関する情報を通信ネットワークを介して他のユーザに提供することができるワイン情報提供システムを提供することを目的とする。
【課題を解決するための手段】
【０００７】
前記目的を達成するため、本発明に係るワイン生成システムは、ユーザが複数の銘柄の原料ワインに基づいて創作ワインを生成することを可能とするものであって、原料ワインに関する情報を格納する記憶部を有するとともに、記憶部に格納された原料ワインのうち複数の銘柄を選択可能に表示する原料表示部を有する、通信ネットワークに接続されたサーバと、通信ネットワークに接続されたユーザ用端末と、ユーザ用端末が通信ネットワークを介してサーバに接続され、原料表示部によって表示された原料ワインのうち特定の銘柄がユーザによって選択された場合に、選択された銘柄に基づいて創作ワインを生成するワイン生成部と、を備えるものである。
【０００８】
かかる構成を採用すると、ユーザ用端末を通信ネットワークを介してサーバに接続し、原料表示部によって表示された原料ワインのうち特定の銘柄をユーザが選択することにより、選択された銘柄に基づいてワイン生成部が創作ワインを生成することができる。
【０００９】
また、本発明に係るワイン情報提供システムは、ユーザが複数の銘柄の原料ワインに基づいて生成した創作ワインに関する情報を、通信ネットワークを介して他のユーザに提供するものであって、原料ワインに関する情報を格納する記憶部を有するとともに、記憶部に格納された原料ワインのうち複数の銘柄を選択可能に表示する原料表示部を有する、通信ネットワークに接続されたサーバと、通信ネットワークに接続されたユーザ用端末と、ユーザ用端末が通信ネットワークを介してサーバに接続され、原料表示部によって表示された原料ワインのうち特定の銘柄がユーザによって選択された場合に、選択された銘柄に基づいて創作ワインを生成するワイン生成部と、を備え、サーバは、創作ワインに関する情報を通信ネットワークを介して他のユーザに提供する情報提供部を有するものである。
【００１０】
かかる構成を採用すると、ユーザによって選択された特定の銘柄の原料ワインに基づいて生成した創作ワインに関する情報（例えば、創作ワインに関するユーザ本人又は他のユーザからの紹介コメントや、実際に創作ワインを購入した他のユーザからの評価コメント）を、通信ネットワークを介して他のユーザに提供することができる。従って、ユーザ本人は、創作ワインに関する他のユーザからの評価等の情報を次回の創作に活かすことができ、他のユーザは、創作ワインに関する評価等の情報を参照して、その創作ワインを購入するか否かの判断を行うことができる。
【００１１】
本発明に係るワイン情報提供システムにおいて、サーバは、創作ワインに関する紹介コメントを通信ネットワークを介して取得する紹介取得部を有することができる。かかる場合において、紹介取得部で取得したユーザ本人又は他のユーザからの紹介コメントを創作ワインに関する情報として提供する情報提供部を採用することができる。
【００１２】
かかる構成を採用すると、ユーザ本人から又は他のユーザからの創作ワインに関する紹介コメントを取得し、その取得した紹介コメントを創作ワインに関する情報として提供することができる。
【００１３】
本発明に係るワイン情報提供システムにおいて、サーバは、創作ワインを通信ネットワークを介して販売する販売処理部と、創作ワインを購入した他のユーザからの評価コメントを通信ネットワークを介して取得する評価取得部と、を有することができる。かかる場合において、評価取得部で取得した評価コメントを創作ワインに関する情報として提供する情報提供部を採用することができる。
【００１４】
かかる構成を採用すると、創作ワインを購入した他のユーザからの評価コメントを取得し、その取得した評価コメントを創作ワインに関する情報として提供することができる。
【００１５】
本発明に係るワイン情報提供システムにおいて、サーバは、ユーザの購入履歴に基づいて、原料表示部で表示する原料ワインの銘柄及びその割合を決定する銘柄決定部を有することができる。
【００１６】
かかる構成を採用すると、ユーザの購入履歴に基づいて、表示する原料ワインの銘柄及びその割合を自動的に決定することができる。例えば、ユーザがボルドー産の赤ワインを比較的多数回購入している履歴が存在するような場合には、ボルドー産の赤ワインに含まれる複数の銘柄（例えばカベルネ・ソーヴィニヨン、カベルネ・フラン、メルロー等）を表示するとともにその割合を多くすることができる。従って、特定ユーザの好みに応じたワインブレンディングを実現させることができる。
【００１７】
本発明に係るワイン生成システム及びワイン情報提供システムにおけるワイン生成部は、ユーザによって選択された銘柄をブレンドして実際の創作ワインを製造することができるだけでなく、ユーザによって選択された銘柄に基づいて仮想の創作ワインを生成することもできる。
【００１８】
かかる構成を採用すると、ユーザによって選択された特定の銘柄の原料ワインに基づいてバーチャルな（仮想の）創作ワインを生成し、その仮想ワインに関する情報を通信ネットワークを介して他のユーザに提供し、その仮想ワインを販売に供することができる。このため、ユーザは、実製造を伴うことなく、自分の創作した仮想ワインが買われていく感覚を味わうことができる。
【発明の効果】
【００１９】
本発明によれば、ユーザが理想とする創作ワインを生成することができるワイン生成システムを提供するとともに、ユーザが創作したワインに関する情報を通信ネットワークを介して他のユーザに提供することができるワイン情報提供システムを提供することが可能となる。
【図面の簡単な説明】
【００２０】
【図１】本発明の実施形態に係るワイン生成システム（ワイン情報提供システム）の全体構成を説明するための構成図である。
【図２】本発明の実施形態に係るワイン生成システムの販売用サーバの原料表示部によって表示される選択画像の一例を示す図である。
【図３】本発明の実施形態に係るワイン生成システムの販売用サーバの販売処理部によって表示される販売画像の一例を示す図である。
【発明を実施するための形態】
【００２１】
以下、図面を参照して、本発明の実施形態について説明する。なお、以下の実施形態はあくまでも好適な適用例であって、本発明の適用範囲がこれに限定されるものではない。
【００２２】
まず、図１〜図３を用いて、本発明の実施形態に係るワイン生成システム１の構成について説明する。
【００２３】
ワイン生成システム１は、ユーザが複数の銘柄の原料ワインをブレンドすることにより創作ワインを製造することを可能とするものであり、通信ネットワークＮに接続された販売用サーバ１０と、通信ネットワークＮに接続されたユーザ用端末２０と、ワイン生成部３０と、を備える。なお、本実施形態に係るワイン生成システム１は、あるユーザが複数の銘柄の原料ワインをブレンドして製造した創作ワインに関する情報を、通信ネットワークＮを介して他のユーザに提供する「ワイン情報提供システム」としても機能する。
【００２４】
販売用サーバ１０は、各種情報を格納する記憶部１１を有している。本実施形態における記憶部１１は、原料ワインの銘柄（例えば、カベルネ・ソーヴィニヨン、メルロー、甲州、善光寺、シャルドネ、ソーヴィニヨン・ブラン等）、各銘柄の生産地（例えば、フランス、チリ、アルゼンチン、日本等）、各銘柄の生産年、ソムリエ等のテイスティングコメント（果実感、ボディ感、うんちく等）、甘辛・渋味・酸味等の分析結果等の原料ワインに関する情報を格納している。
【００２５】
販売用サーバ１０は、記憶部１１に格納された原料ワインのうち複数の銘柄を選択可能に表示する原料表示部１２を有している。図２は、原料表示部１２によって生成される選択画像の一例を示す図である。この例では、原料ワインの銘柄として、フランス産のカベルネ・ソーヴィニヨン（４０％）と、アメリカ産のメルロー（２５％）と、チリ産のカベルネ・ソーヴィニヨン（２０％）と、を表示しているが、原料表示部１２に表示される原料ワインの銘柄はこれらに限られるものではない。
【００２６】
ユーザは、通信ネットワークＮを介してユーザ用端末２０を販売用サーバ１０に接続させ、原料表示部１２によって生成されてユーザ用端末２０の表示画面に表示された選択画像を視認しながら、ユーザ用端末２０の操作部で操作入力を行うことにより、所望の銘柄を選択することができる。販売用サーバ１０は、ユーザによって選択された銘柄を記憶部１１に格納しておき、その格納した銘柄に関する情報をワイン生成部３０に送信することができる。
【００２７】
販売用サーバ１０は、ユーザの購入履歴に基づいて、原料表示部１２で表示する原料ワインの銘柄及びその割合を決定する銘柄決定部１３を有している。例えば、銘柄決定部１３は、ユーザがボルドー産の赤ワインを比較的多数回購入している履歴が存在するような場合に、ボルドー産の赤ワインに含まれる複数の銘柄（例えばカベルネ・ソーヴィニヨン、カベルネ・フラン、メルロー等）を表示するとともにその割合を多くすることができる。
【００２８】
販売用サーバ１０は、創作ワインに関する紹介コメントを通信ネットワークＮを介して取得する紹介取得部１４を有している。例えば、紹介取得部１４は、創作ワインに関する紹介コメントを入力させるためのコメント入力用画像（例えば所定の枠で囲われたブランクと紹介コメントを促す文面とからなる画像）を生成し、通信ネットワークＮを介して接続されたユーザ用端末２０の表示画面にそのコメント入力用画像を表示させることができる。そして、紹介取得部１４は、通信ネットワークＮを介してそのコメント入力用画像に入力されたユーザ本人又は他のユーザからの紹介コメントを記憶部１１に格納しておくことができる。記憶部１１に格納された情報は、後述する情報提供部１７によって他のユーザに提供されることができる。
【００２９】
販売用サーバ１０は、創作ワインを通信ネットワークＮを介して販売するための販売処理部１５を有している。例えば、販売処理部１５は、創作ワインを販売するための販売画像（例えば、図３に示すように、各創作ワインの紹介コメントや原料銘柄を掲載した画像）を生成し、通信ネットワークＮを介して接続されたユーザ用端末２０にその販売画像を表示させることができる。また、販売処理部１５は、各創作ワインの注文を受けるための注文入力用画像を生成して販売画像とともに表示させ、その注文入力用画像を介してユーザからの注文を受けることができる。そして、販売処理部１５は、注文入力用画像を介して注文を受けた場合に、通信ネットワークＮを介して、創作ワインが保管されている保管庫の端末に配送指示を送信することができる。保管庫のスタッフは、端末で配送指示を受信した場合に、注文された創作ワインを注文主（ユーザ）に向けて発送することができる。創作ワインの代金は、注文と同時に課金してもよく、商品と引き換えに受領してもよい。なお、保管庫における創作ワインの発送作業は必ずしも人間が行う必要はなく、端末で配送指示を受信した場合に発送作業を行うように構成されたロボットが行ってもよい。
【００３０】
販売用サーバ１０は、創作ワインを購入した他のユーザからの評価コメントを通信ネットワークＮを介して取得する評価取得部１６を有している。例えば、評価取得部１６は、評価コメントを入力させるためのコメント入力用画像を生成し、通信ネットワークＮを介して接続されたユーザ用端末２０の表示画面にそのコメント入力用画像を表示させることができる。そして、評価取得部１６は、通信ネットワークＮを介してそのコメント入力用画像に入力された他のユーザからの評価コメントを記憶部１１に格納しておくことができる。記憶部１１に格納された情報は、後述する情報提供部１７によって他のユーザに提供されることができる。
【００３１】
販売用サーバ１０は、創作ワインに関する情報を通信ネットワークＮを介して提供する情報提供部１７を有している。例えば、情報提供部１７は、紹介取得部１４で取得した特定ユーザ自身からの紹介コメント（例えば、図３に示すように、「桜を見ながら飲むワインを、桜の香りをイメージして…」、「甲州の特徴を最大限感じれるブレンドを作ってみました。」、「旬の筍を味わうワインです。甲州ベースにＳＢを加えて…」等のコメント）や他のユーザからの紹介コメントを、創作ワインに関する情報として販売画像とともに表示して提供することができる。また、情報提供部１７は、評価取得部１６で取得した評価コメントを、創作ワインに関する情報として販売画像とともに表示して提供することもできる。
【００３２】
ユーザ用端末２０は、通信ネットワークＮに通信可能に接続して双方向の情報交換を行うことができる端末機器であればよい。例えば、デスクトップ型やラップトップ型のパーソナルコンピュータの他、スマートフォンやタブレットや携帯電話等の携帯端末をユーザ用端末２０として使用することができる。通信ネットワークＮは、双方向に通信可能なネットワークであれば有線型でも無線型でもよく、例えばインターネット、ＬＡＮ（Local Area Network）、ＷＡＮ(Wide Area Network)、イントラネット等を採用することができる。
【００３３】
ワイン生成部３０は、ユーザ用端末２０が通信ネットワークＮを介して販売用サーバ１０に接続され、原料表示部１２によって表示された原料ワインの中からユーザによって特定の銘柄が選択された場合に、選択された銘柄をブレンドして創作ワインを製造するものである。ワイン生成部３０は、販売用サーバ１０から送信された銘柄に関する情報を受信する受信部、受信部で受信した銘柄の原料ワインをブレンドするとともに所定の添加物（亜硫酸塩等）等を添加して創作ワインとする調合部、調合部によって得られた創作ワインを瓶詰めする瓶詰部等を有している。ワイン生成部３０は、さらにワイン貯蔵部を有することもでき、ユーザの希望する期間、製造した創作ワインを貯蔵させることができる。また、ワイン生成部３０は、さらにワイン分析部を有することもでき、ユーザが希望するワイン成分の分析を行わせ、創作ワインに関する情報として販売画像とともに表示させることができる。
【００３４】
なお、本実施形態においては、ユーザによって選択された銘柄をブレンドして実際に創作ワインを製造するワイン生成部３０を採用した例を示したが、ユーザによって選択された銘柄に基づいて仮想の創作ワインを生成するワイン生成部を採用してもよい。このようにすると、ユーザによって選択された特定の銘柄の原料ワインに基づいてバーチャルな（仮想の）創作ワインを生成し、その仮想ワインに関する情報を通信ネットワークＮを介して他のユーザに提供し、その仮想ワインを販売に供することができる。このため、ユーザは、実製造を伴うことなく、自分の創作した仮想ワインが買われていく感覚を味わうことができる。このような仮想の創作ワインを生成するワイン生成部は、販売用サーバ１０内に設けることができる。
【００３５】
次に、本実施形態に係るワイン生成システム１を使用して、創作ワインを製造する方法について説明する。
【００３６】
まず、ユーザは、通信ネットワークＮを介してユーザ用端末２０を販売用サーバ１０に接続させる。次いで、ユーザは、ユーザ用端末２０の表示画面に販売用サーバ１０の選択画像（図２）を表示させ、その選択画像を視認しながらユーザ用端末２０の操作部で操作入力を行うことにより、所望の銘柄を選択する。すると、販売用サーバ１０は、ユーザによって選択された銘柄を記憶部１１に格納すると同時に、その選択された銘柄に関する情報をワイン生成部３０に送信する。販売用サーバ１０から送信された銘柄に関する情報を受信したワイン生成部３０は、その選択された銘柄をブレンドして創作ワインを製造する。なお、ユーザは、製造にあたり、銘柄だけでなく、瓶種、キャップ色、キャップシール色等を選択することもでき、また、瓶にはユーザが希望するオリジナルラベルを選択することもできる。
【００３７】
続いて、ワイン情報提供システムとして機能するワイン生成システム１を使用して、創作ワインに関する情報を提供する方法について説明する。
【００３８】
まず、ユーザがユーザ用端末２０の表示画面に表示された選択画像（図２）を視認しながらユーザ用端末２０の操作部で操作入力を行うことにより所望の銘柄を選択すると、販売用サーバ１０は、ユーザによって選択された銘柄を記憶部１１に格納すると同時に、その選択された銘柄に関する情報をワイン生成部３０に送信する。販売用サーバ１０から送信された銘柄に関する情報を受信したワイン生成部３０は、その選択された銘柄をブレンドして創作ワインを製造する。なお、ユーザによって選択された銘柄（レシピ）を、通信ネットワークＮを介して接続されたユーザ用端末２０に表示させ、他のユーザの評価を待ってからそのレシピをワイン生成部３０に送信し、そのレシピに基づいて創作ワインを製造することもできる。
【００３９】
次いで、販売用サーバ１０の販売処理部１５は、創作ワインを販売するための販売画像（図３）を生成し、通信ネットワークＮを介して接続されたユーザ用端末２０にその販売画像を表示させるとともに、各創作ワインの注文を受けるための注文入力用画像を販売画像とともに表示させる。これにより、創作ワインの販売を行う。また、販売用サーバ１０の紹介取得部１４は、創作ワインに関する紹介コメントを入力させるためのコメント入力用画像を生成し、ユーザ用端末２０の表示画面にそのコメント入力用画像を表示させることにより、ユーザ本人又は他のユーザからの紹介コメントを取得する。また、販売用サーバ１０の評価取得部１６は、評価コメントを入力させるためのコメント入力用画像を生成し、ユーザ用端末２０の表示画面にそのコメント入力用画像を表示させることにより、他のユーザからの評価コメントを取得する。
【００４０】
続いて、販売用サーバ１０は、紹介取得部１４で取得した特定ユーザ自身からの紹介コメントや他のユーザからの紹介コメントに加えて、評価取得部１６で取得した評価コメントを、創作ワインに関する情報として販売画像とともに表示して提供する。これにより、他のユーザは、創作ワインに関する評価等の情報を参照して、その創作ワインを購入するか否かの判断を行うことができる。また、ユーザ本人は、創作ワインに関する他のユーザからの評価等の情報を次回の創作に活かすことができる。
【００４１】
以上説明した実施形態に係るワイン生成システム１においては、ユーザ用端末２０を通信ネットワークＮを介して販売用サーバ１０に接続し、原料表示部１２によって表示された原料ワインのうち特定の銘柄をユーザが選択することにより、選択された銘柄をワイン生成部３０がブレンドして創作ワインを製造することができる。
【００４２】
また、以上説明した実施形態に係るワイン生成システム（ワイン情報提供システム）１においては、ユーザによって選択された特定の銘柄の原料ワインをブレンドして製造した創作ワインに関する情報（例えば、創作ワインに関するユーザ本人又は他のユーザからの紹介コメントや、実際に創作ワインを購入した他のユーザからの評価コメント）を、通信ネットワークＮを介して提供することができる。従って、ユーザ本人は、創作ワインに関する他のユーザからの評価等の情報を次回の創作に活かすことができ、他のユーザは、創作ワインに関する評価等の情報を参照して、その創作ワインを購入するか否かの判断を行うことができる。
【００４３】
また、以上説明した実施形態に係るワイン生成システム（ワイン情報提供システム）１においては、販売用サーバ１０が、創作ワインに関する紹介コメントを通信ネットワークＮを介して取得する紹介取得部１４と、紹介取得部１４で取得した紹介コメントを創作ワインに関する情報として提供する情報提供部１７と、を有しているため、ユーザ本人から又は他のユーザからの創作ワインに関する紹介コメントを取得し、その取得した紹介コメントを創作ワインに関する情報として提供することができる。
【００４４】
また、以上説明した実施形態に係るワイン生成システム（ワイン情報提供システム）１においては、販売用サーバ１０が、創作ワインを通信ネットワークＮを介して販売する販売処理部１５と、創作ワインを購入した他のユーザからの評価コメントを通信ネットワークを介して取得する評価取得部１６と、評価取得部１６で取得した評価コメントを創作ワインに関する情報として提供する情報提供部１７と、を有しているため、創作ワインを購入した他のユーザからの評価コメントを取得し、その取得した評価コメントを創作ワインに関する情報として提供することができる。
【００４５】
また、以上説明した実施形態に係るワイン生成システム（ワイン情報提供システム）１においては、販売用サーバ１０が、ユーザの購入履歴に基づいて、原料表示部１２で表示する原料ワインの銘柄及びその割合を決定する銘柄決定部１３を有しているため、ユーザの購入履歴に基づいて、表示する原料ワインの銘柄及びその割合を自動的に決定することができる。従って、特定ユーザの好みに応じたワインブレンディングを実現させることができる。
【００４６】
本発明は、以上の実施形態に限定されるものではなく、かかる実施形態に当業者が適宜設計変更を加えたものも、本発明の特徴を備えている限り、本発明の範囲に包含される。すなわち、前記実施形態が備える各要素及びその配置、材料、条件、形状、サイズ等は、例示したものに限定されるわけではなく適宜変更することができる。また、前記実施形態が備える各要素は、技術的に可能な限りにおいて組み合わせることができ、これらを組み合わせたものも本発明の特徴を含む限り本発明の範囲に包含される。
【符号の説明】
【００４７】
１…ワイン生成システム（ワイン情報提供システム）
１０…販売用サーバ
１１…記憶部
１２…原料表示部
１３…銘柄決定部
１４…紹介取得部
１５…販売処理部
１６…評価取得部
１７…情報提供部
２０…ユーザ用端末
３０…ワイン生成部
Ｎ…通信ネットワーク
【図１】
2019040507.tif 000003
【図２】
2019040507.tif 000004
【図３】
2019040507.tif 000005